(57)【特許請求の範囲】
【請求項１】
プリント出力に係る設定を受付けるための受付手段と、
入力画像を前記設定に従ってプリント出力した場合のプリントイメージを表示するための表示手段とを備え、
前記表示手段は、前記プリントイメージに加えて、前記プリントイメージに含まれるページのうち、ページの属性と前記設定の内容とに応じて特定される特定の属性を共通にもつページを選択するための選択領域を表示し、
前記受付手段が前記選択領域において、ページの属性と前記設定の内容とに応じて特定される特定の属性を共通にもつページの選択を受付けた場合であって、さらに、ユーザから設定変更の要求を受付けた場合に、前記表示手段は、前記選択を受付けたページの属性と前記設定の内容とに応じて特定される特定の属性を共通にもつページに対して、ページの属性と前記設定の内容とに応じて特定される特定の属性に応じた出力設定の変更入力を受付ける設定変更画面を表示し、
前記受付手段は、前記表示された前記設定変更画面を介して設定変更の入力を受付ける、画像処理装置。
【請求項２】
前記表示手段は、前記設定変更画面を介して入力される設定に従ったプリントイメージを再表示する、請求項１に記載の画像処理装置。
【請求項３】
前記プリント出力に係る設定は、プリント出力された用紙に対する仕上がり設定を含む、請求項１または２に記載の画像処理装置。
【請求項４】
前記プリント出力に係る設定は、前記入力画像に含まれる複数のページを単一のページに集約してプリント出力するための設定を含む、請求項１〜３のいずれか１項に記載の画像処理装置。
【請求項５】
前記表示手段は、前記設定の内容に応じた特定の属性を共通にもつページとして、前記プリントイメージに含まれるページのうち、奇数ページおよび偶数ページをそれぞれ選択するための選択領域を表示する、請求項１〜４のいずれか１項に記載の画像処理装置。
【請求項６】
前記入力画像は、異なるサイズをもつ複数のページを含み、
前記表示手段は、前記設定の内容に応じた特定の属性を共通にもつページとして、前記プリントイメージに含まれるページを画像サイズ別に選択するための選択領域を表示する、請求項１〜５のいずれか１項に記載の画像処理装置。
【請求項７】
前記入力画像は、異なる画像方向をもつ複数のページを含み、
前記表示手段は、前記設定の内容に応じた特定の属性を共通にもつページとして、前記プリントイメージに含まれるページを画像方向別に選択するための選択領域を表示する、請求項１〜６のいずれか１項に記載の画像処理装置。
【請求項８】
前記入力画像は、カラー画像およびモノクロ画像を含み、
前記表示手段は、前記設定の内容に応じた特定の属性を共通にもつページとして、前記プリントイメージに含まれるページのうち、カラー画像およびモノクロ画像をそれぞれ選択するための選択領域を表示する、請求項１〜７のいずれか１項に記載の画像処理装置。
【請求項９】
プリント出力に係る設定を受付ける受付ステップと、
入力画像を前記設定に従ってプリント出力した場合のプリントイメージを表示装置に表示する表示ステップとを備え、
前記表示ステップは、前記プリントイメージに加えて、前記プリントイメージに含まれるページのうち、ページの属性と前記設定の内容とに応じて特定される特定の属性を共通にもつページを選択するための選択領域を表示するステップを含み、
前記受付ステップで前記選択領域において、ページの属性と前記設定の内容とに応じて特定される特定の属性を共通にもつページの選択を受付けた場合であって、さらに、ユーザから設定変更の要求を受付けた場合に、前記表示ステップは、前記選択を受付けたページの属性と前記設定の内容とに応じて特定される特定の属性を共通にもつページに対して、ページの属性と前記設定の内容とに応じて特定される特定の属性に応じた出力設定の変更入力を受付ける設定変更画面を表示するステップをさらに含み、
前記受付ステップは、前記表示された前記設定変更画面を介して設定変更の入力を受付ける、画像処理方法。
【請求項１０】
前記表示ステップは、前記設定変更画面を介して入力される設定に従ったプリントイメージを再表示する、請求項９に記載の画像処理方法。
【請求項１１】
前記プリント出力に係る設定は、プリント出力された用紙に対する仕上がり設定を含む、請求項９または１０に記載の画像処理方法。
【請求項１２】
前記プリント出力に係る設定は、前記入力画像に含まれる複数のページを単一のページに集約してプリント出力するための設定を含む、請求項９〜１１のいずれか１項に記載の画像処理方法。
【請求項１３】
前記表示ステップは、前記設定の内容に応じた特定の属性を共通にもつページとして、前記プリントイメージに含まれるページのうち、奇数ページおよび偶数ページをそれぞれ選択するための選択領域を表示する、請求項９〜１２のいずれか１項に記載の画像処理方法。
【請求項１４】
前記入力画像は、異なるサイズをもつ複数のページを含み、
前記表示ステップは、前記設定の内容に応じた特定の属性を共通にもつページとして、前記プリントイメージに含まれるページを画像サイズ別に選択するための選択領域を表示する、請求項９〜１３のいずれか１項に記載の画像処理方法。
【請求項１５】
前記入力画像は、異なる画像方向をもつ複数のページを含み、
前記表示ステップは、前記設定の内容に応じた特定の属性を共通にもつページとして、前記プリントイメージに含まれるページを画像方向別に選択するための選択領域を表示する、請求項９〜１４のいずれか１項に記載の画像処理方法。
【請求項１６】
前記入力画像は、カラー画像およびモノクロ画像を含み、
前記表示ステップは、前記設定の内容に応じた特定の属性を共通にもつページとして、前記プリントイメージに含まれるページのうち、カラー画像およびモノクロ画像をそれぞれ選択するための選択領域を表示する、請求項９〜１５のいずれか１項に記載の画像処理方法。
【請求項１７】
入力装置および表示装置を含むコンピュータにおいて画像処理方法を実行させるための画像処理プログラムであって、前記画像処理プログラムは、
プリント出力に係る設定を受付ける受付ステップと、
入力画像を前記設定に従ってプリント出力した場合のプリントイメージを表示装置に表示する表示ステップとをコンピュータに実行させ、
前記表示ステップは、前記プリントイメージに加えて、前記プリントイメージに含まれるページのうち、ページの属性と前記設定の内容とに応じて特定される特定の属性を共通にもつページを選択するための選択領域を表示するステップを含み、
前記受付ステップで前記選択領域において、ページの属性と前記設定の内容とに応じて特定される特定の属性を共通にもつページの選択を受付けた場合であって、さらに、ユーザから設定変更の要求を受付けた場合に、前記表示ステップは、前記選択を受付けたページの属性と前記設定の内容とに応じて特定される特定の属性を共通にもつページに対して、ページの属性と前記設定の内容とに応じて特定される特定の属性に応じた出力設定の変更入力を受付ける設定変更画面を表示するステップをさらに含み、
前記受付ステップは、前記表示された前記設定変更画面を介して設定変更の入力を受付ける、画像処理プログラム。
【請求項１８】
前記表示ステップは、前記設定変更画面を介して入力される設定に従ったプリントイメージを再表示する、請求項１７に記載の画像処理プログラム。
【請求項１９】
前記プリント出力に係る設定は、プリント出力された用紙に対する仕上がり設定を含む、請求項１７または１８に記載の画像処理プログラム。
【請求項２０】
前記プリント出力に係る設定は、前記入力画像に含まれる複数のページを単一のページに集約してプリント出力するための設定を含む、請求項１７〜１９のいずれか１項に記載の画像処理プログラム。
【請求項２１】
前記表示ステップは、前記設定の内容に応じた特定の属性を共通にもつページとして、前記プリントイメージに含まれるページのうち、奇数ページおよび偶数ページをそれぞれ選択するための選択領域を表示する、請求項１７〜２０のいずれか１項に記載の画像処理プログラム。
【請求項２２】
前記入力画像は、異なるサイズをもつ複数のページを含み、
前記表示ステップは、前記設定の内容に応じた特定の属性を共通にもつページとして、前記プリントイメージに含まれるページを画像サイズ別に選択するための選択領域を表示する、請求項１７〜２１のいずれか１項に記載の画像処理プログラム。
【請求項２３】
前記入力画像は、異なる画像方向をもつ複数のページを含み、
前記表示ステップは、前記設定の内容に応じた特定の属性を共通にもつページとして、前記プリントイメージに含まれるページを画像方向別に選択するための選択領域を表示する、請求項１７〜２２のいずれか１項に記載の画像処理プログラム。
【請求項２４】
前記入力画像は、カラー画像およびモノクロ画像を含み、
前記表示ステップは、前記設定の内容に応じた特定の属性を共通にもつページとして、前記プリントイメージに含まれるページのうち、カラー画像およびモノクロ画像をそれぞれ選択するための選択領域を表示する、請求項１７〜２３のいずれか１項に記載の画像処理プログラム。
【発明の詳細な説明】
【技術分野】
【０００１】
この発明は、入力画像から得られるプリントイメージをプレビュー表示可能な画像処理装置、画像処理方法および画像処理プログラムに関し、特に複数のページにわたってプリント出力に係る設定を変更可能な構成に関する。
【背景技術】
【０００２】
近年の情報技術の進歩に伴って、プリント出力される用紙の量も増大している。この一方で、環境面からは、無駄なプリント出力を極力抑制して省資源化を図ることが好ましい。そのため、複合機（ＭＦＰ：Multiple Function Peripheral；以下「ＭＦＰ」ともいう。）などの画像形成装置においては、画像を用紙へプリント出力する前に、そのプリントイメージを表示する機能、いわゆるプレビュー機能を搭載するものがある。
【０００３】
たとえば、特開平１０−０４２０８７号公報（特許文献１）には、編集操作により編集された画像を表示する編集表示手段をもつ画像処理装置が開示されている。また、特開２００７−１１０６７６号公報（特許文献２）には、処理対象画像が複数ページにわたっている場合、各ページの仕上がり画像の非画像部分を所定の透明度に調整した透明仕上がり画像を生成する透明仕上がり画像生成手段と、透明仕上がり画像を重ね合わせて透明仕上がり画像の画像部分が非画像部分を透過して見える状態にして表示手段に表示する透明仕上がり画像表示手段とを含む画像処理装置が開示されている。
【０００４】
ここで、「仕上がり処理」とは、プリント出力される用紙に対するパンチ孔の形成やステープル綴じなどの処理を含むものである。このような仕上がり処理の内容（種類や位置など）は、ユーザによって任意に設定および変更される。すなわち、ユーザは、プレビュー表示されるプリントイメージを参照しながら、所望のプリント出力が得られるように各種設定を調整する。
【０００５】
また、設定の変更という意味において、特開２００５−２６８９０６号公報（特許文献３）には、スキャンミスの修正を一括して行なうことが可能な画像形成装置が開示されている。
【特許文献１】特開平１０−０４２０８７号公報
【特許文献２】特開２００７−１１０６７６号公報
【特許文献３】特開２００５−２６８９０６号公報
【発明の開示】
【発明が解決しようとする課題】
【０００６】
ところで、たとえば用紙に両面プリントして出力するような場合には、表面と裏面、すなわち奇数ページと偶数ページとの間における仕上がり処理の設定は互いに異なったものとなる。そのため、ユーザが、それぞれ奇数ページ用の設定および偶数ページ用の設定を行なうためには、対象となるページを個別に選択して、ページ毎に設定変更を行なわざるを得なかった。
【０００７】
このように、従来の構成では、プリント出力に複数のページ設定が含まれている場合には、これらの設定をページ単位で変更せざるを得ず、手間がかかるという課題があった。
【０００８】
そこで、この発明は、かかる問題を解決するためになされたものであり、その目的は、複数のページ設定を含むプリント出力に対して、容易に設定を変更することのできる画像処理装置、画像処理方法および画像処理プログラムを提供することである。
【課題を解決するための手段】
【０００９】
この発明のある局面に従う画像処理装置は、プリント出力に係る設定を受付けるための受付手段と、入力画像を設定に従ってプリント出力した場合のプリントイメージを表示するための表示手段とを含む。表示手段は、プリントイメージに加えて、プリントイメージに含まれるページのうち、ページの属性と設定の内容とに応じて特定される特定の属性を共通にもつページを選択するための選択領域を表示し、受付手段が選択領域において、ページの属性と設定の内容とに応じて特定される特定の属性を共通にもつページの選択を受付けた場合であって、さらに、ユーザから設定変更の要求を受付けた場合に、表示手段は、選択を受付けたページの属性と設定の内容とに応じて特定される特定の属性を共通にもつページに対して、ページの属性と設定の内容とに応じて特定される特定の属性に応じた出力設定の変更入力を受付ける設定変更画面を表示し、受付手段は、表示された設定変更画面を介して設定変更の入力を受付ける。
【００１０】
好ましくは、表示手段は、設定変更画面を介してて入力される設定に従ったプリントイメージを再表示する。
【００１１】
好ましくは、プリント出力に係る設定は、プリント出力された用紙に対する仕上がり設定を含む。
好ましくは、プリント出力に係る設定は、入力画像に含まれる複数のページを単一のページに集約してプリント出力するための設定を含む。
【００１２】
好ましくは、表示手段は、設定の内容に応じた特定の属性を共通にもつページとして、プリントイメージに含まれるページのうち、奇数ページおよび偶数ページをそれぞれ選択するための選択領域を表示する。
【００１３】
好ましくは、入力画像は、異なるサイズをもつ複数のページを含み、表示手段は、設定の内容に応じた特定の属性を共通にもつページとして、プリントイメージに含まれるページを画像サイズ別に選択するための選択領域を表示する。
【００１４】
好ましくは、入力画像は、異なる画像方向をもつ複数のページを含み、表示手段は、設定の内容に応じた特定の属性を共通にもつページとして、プリントイメージに含まれるページを画像方向別に選択するための選択領域を表示する。
【００１５】
好ましくは、入力画像は、カラー画像およびモノクロ画像を含み、表示手段は、設定の内容に応じた特定の属性を共通にもつページとして、プリントイメージに含まれるページのうち、カラー画像およびモノクロ画像をそれぞれ選択するための選択領域を表示する。
【００１６】
この発明の別の局面に従う画像処理方法は、プリント出力に係る設定を受付ける受付ステップと、入力画像を設定に従ってプリント出力した場合のプリントイメージを表示装置に表示する表示ステップとを含む。表示ステップは、プリントイメージに加えて、プリントイメージに含まれるページのうち、ページの属性と設定の内容とに応じて特定される特定の属性を共通にもつページを選択するための選択領域を表示するステップを含み、受付ステップで選択領域において、ページの属性と設定の内容とに応じて特定される特定の属性を共通にもつページの選択を受付けた場合であって、さらに、ユーザから設定変更の要求を受付けた場合に、表示ステップは、選択を受付けたページの属性と設定の内容とに応じて特定される特定の属性を共通にもつページに対して、ページの属性と設定の内容とに応じて特定される特定の属性に応じた出力設定の変更入力を受付ける設定変更画面を表示するステップをさらに含み、受付ステップは、表示された設定変更画面を介して設定変更の入力を受付ける。
好ましくは、表示ステップは、設定変更画面を介して入力される設定に従ったプリント
イメージを再表示する。
好ましくは、プリント出力に係る設定は、プリント出力された用紙に対する仕上がり設定を含む。
好ましくは、プリント出力に係る設定は、入力画像に含まれる複数のページを単一のページに集約してプリント出力するための設定を含む。
好ましくは、表示ステップは、設定の内容に応じた特定の属性を共通にもつページとして、プリントイメージに含まれるページのうち、奇数ページおよび偶数ページをそれぞれ選択するための選択領域を表示する。
好ましくは、入力画像は、異なるサイズをもつ複数のページを含み、表示ステップは、設定の内容に応じた特定の属性を共通にもつページとして、プリントイメージに含まれるページを画像サイズ別に選択するための選択領域を表示する。
好ましくは、入力画像は、異なる画像方向をもつ複数のページを含み、表示ステップは、設定の内容に応じた特定の属性を共通にもつページとして、プリントイメージに含まれるページを画像方向別に選択するための選択領域を表示する。
好ましくは、入力画像は、カラー画像およびモノクロ画像を含み、表示ステップは、設定の内容に応じた特定の属性を共通にもつページとして、プリントイメージに含まれるページのうち、カラー画像およびモノクロ画像をそれぞれ選択するための選択領域を表示する。
【００１７】
この発明のさらに別の局面に従えば、入力装置および表示装置を含むコンピュータにおいて画像処理方法を実行させるための画像処理プログラムを提供する。画像処理プログラムは、入力装置を介してプリント出力に係る設定を受付ける受付ステップと、入力画像を設定に従ってプリント出力した場合のプリントイメージを表示装置に表示する表示ステップとをコンピュータに実行させる。表示ステップは、プリントイメージに加えて、プリントイメージに含まれるページのうち、ページの属性と設定の内容とに応じて特定される特定の属性を共通にもつページを選択するための選択領域を表示するステップを含み、受付ステップで選択領域において、ページの属性と設定の内容とに応じて特定される特定の属性を共通にもつページの選択を受付けた場合であって、さらに、ユーザから設定変更の要求を受付けた場合に、表示ステップは、選択を受付けたページの属性と設定の内容とに応じて特定される特定の属性を共通にもつページに対して、ページの属性と設定の内容とに応じて特定される特定の属性に応じた出力設定の変更入力を受付ける設定変更画面を表示するステップをさらに含み、受付ステップは、表示された設定変更画面を介して設定変更の入力を受付ける。
好ましくは、表示ステップは、設定変更画面を介して入力される設定に従ったプリントイメージを再表示する。
好ましくは、プリント出力に係る設定は、プリント出力された用紙に対する仕上がり設定を含む。
好ましくは、プリント出力に係る設定は、入力画像に含まれる複数のページを単一のページに集約してプリント出力するための設定を含む。
好ましくは、表示ステップは、設定の内容に応じた特定の属性を共通にもつページとして、プリントイメージに含まれるページのうち、奇数ページおよび偶数ページをそれぞれ選択するための選択領域を表示する。
好ましくは、入力画像は、異なるサイズをもつ複数のページを含み、表示ステップは、設定の内容に応じた特定の属性を共通にもつページとして、プリントイメージに含まれるページを画像サイズ別に選択するための選択領域を表示する。
好ましくは、入力画像は、異なる画像方向をもつ複数のページを含み、表示ステップは、設定の内容に応じた特定の属性を共通にもつページとして、プリントイメージに含まれるページを画像方向別に選択するための選択領域を表示する。
好ましくは、入力画像は、カラー画像およびモノクロ画像を含み、表示ステップは、設定の内容に応じた特定の属性を共通にもつページとして、プリントイメージに含まれるページのうち、カラー画像およびモノクロ画像をそれぞれ選択するための選択領域を表示する。
【発明の効果】
【００１８】
この発明によれば、複数のページ設定を含むプリント出力に対して、容易に設定を変更できる。
【発明を実施するための最良の形態】
【００１９】
この発明の実施の形態について、図面を参照しながら詳細に説明する。なお、図中の同一または相当部分については、同一符号を付してその説明は繰返さない。
【００２０】
＜装置構成＞
この発明の実施の形態においては、本発明に係る画像処理装置の代表例として、複写機能（モノクロおよび／またはカラー）、プリンタ機能、ＦＡＸ送信機能、イメージ読取機能といった複数の機能を搭載した複合機（Multi Function Peripheral：以下「ＭＦＰ」とも称す。）について説明する。なお、後述するように、本発明に係る画像処理装置をパーソナルコンピュータなどによって実現してもよい。
【００２１】
図１は、この発明の実施の形態に従うＭＦＰ１における概略のハードウェア構成を示す模式図である。
【００２２】
図１を参照して、ＭＦＰ１は、ＣＰＵ（Central Processing Unit）１０１と、ＲＯＭ（Read Only Memory）１０２と、ＲＡＭ（Random Access Memory）１０３と、ハードディスク１０４と、操作パネル１０５と、画像読取部１０６と、プリント部１０７と、フィニッシャー１０８と、ネットワークインタフェース１０９とを含み、各部は、バス１１０を介して相互接続されている。
【００２３】
ＣＰＵ１０１は、ＲＯＭ１０２またはハードディスク１０４などに予め格納されたプログラムをＲＡＭ１０３に読み出して実行することで、本実施の形態に従う画像処理方法を提供する演算装置である。ＲＯＭ１０２は、ＣＰＵ１０１で実行されるプログラムや種々の設定値などを不揮発的に格納する。ＲＡＭ１０３は、代表的にＤＲＡＭ（Dynamic Random Access Memory）などの揮発性の記憶装置であり、制御部１００で実行されるプログラムやプログラムの実行に必要なデータなどを保持する。ハードディスク１０４は、画像読取部１０６で読取られた画像やネットワークなどを介して外部入力された画像を格納可能な記憶媒体である。
【００２４】
操作パネル１０５は、各種のユーザ操作を受付けるとともに、各種の情報をユーザに表示するためのユーザインタフェースである。
【００２５】
図２は、この発明の実施の形態に従うＭＦＰ１の操作パネル１０５の代表的な外観を示す図である。図２を参照して、操作パネル１０５は、テンキー１２４、スタートキー１２８、ストップキー１３０などの複数の操作キーと、タッチパネル１２２とを含む。
【００２６】
ユーザがスタートキー１２８を押すと、ＭＦＰ１で選択中の機能が実行され、ストップキー１３０を押すと、実行中の機能が中断または中止される。
【００２７】
タッチパネル１２２は、ＭＦＰ１における各種情報を表示するための液晶パネル（ＬＣＤ：Liquid Crystal Display）と、液晶パネル上に配置され、その押圧を感知することでユーザ操作を受付ける感圧パネルとを含む。具体的には、タッチパネル１２２には、ユーザに対して各種情報を表示するとともに、ＭＦＰ１に対する各操作を受付けるためのボタンやアイコンが表示される。そして、感圧パネルがこの各ボタンに対応する位置についてユーザ操作がなされたことを検知すると、このボタンに対応する指令がＣＰＵ１０１などへ伝達される。
【００２８】
再度、図１を参照して、画像読取部１０６は、原稿から画像情報を読取って画像を生成する。具体的には、画像読取部１０６は、プラテンガラスに載置された原稿に向けて光源から光を照射するとともに、原稿から反射した光を撮像素子などによって受光することで、原稿の画像情報を読取る。あるいは、画像読取部１０６は、連続的な原稿読取りを可能とするように、原稿給紙台、送出ローラ、レジストローラ、搬送ドラム、および排紙台などを含んでいてもよい。そして、画像読取部１０６で読取られた画像情報から生成された画像は、ハードディスク１０４などに格納される。
【００２９】
プリント部１０７は、操作パネル１０５を介したユーザ操作に従って、ハードディスク１０４などに格納された画像を用紙へプリント出力する。具体的には、プリント部１０７は、感光体ドラム、帯電器、露光器、現像器、転写器、除電器、定着装置、クリーニング装置などを含み、これらの機構が一連に動作することでプリント処理を実現する。
【００３０】
本明細書では、プリント部１０７による用紙へのプリント出力の対象となる画像を「入力画像」とも記す。なお、「入力画像」の生成／取得は、いずれの方法によって実現されてもよい。代表的に、入力画像としては、ＭＦＰ１自身の画像読取部１０６で読取られた画像、ＭＦＰ１自身が電話回線などを介して受信したＦＡＸ画像、他のＭＦＰ１やパーソナルコンピュータから送信された画像などを含む。なお、パーソナルコンピュータから送信される画像は、パーソナルコンピュータで実行される文書作成アプリケーションによって生成される場合もある。
【００３１】
フィニッシャー１０８は、プリント部１０７の下流側に配置され、プリント部１０７によってプリント出力された用紙に対して、種々の仕上がり処理を実行する。具体的には、フィニッシャー１０８は、複数枚の原稿を部数単位に分けて出力する「ソート出力」、複数枚の原稿をページ単位に分けて出力する「グループ出力」、複数枚の原稿の所定位置をステープルで綴じる「ステープル処理」、複数枚の原稿の所定位置にファイリング用のパンチ孔を形成する「パンチ処理」などを実行可能である。
【００３２】
ネットワークインタフェース１０９は、ネットワークを介して、他のＭＦＰ１やパーソナルコンピュータなどとの間のデータ通信を提供する。
【００３３】
＜制御構造＞
図３は、この発明の実施の形態に従うＭＦＰ１における制御構造を示すブロック図である。
【００３４】
図３を参照して、ＭＦＰ１は、その制御構造として、読出部１０と、画像処理部１２と、プレビュー画像生成部１４と、設定受付部１６と、表示コントローラ１８と、入力コントローラ２０とを含む。
【００３５】
読出部１０は、操作パネル１０５を介して入力されるユーザ操作に従って、ハードディスク１０４などから特定の入力画像を選択的に読出す。そして、読出部１０によって読出された入力画像は、プレビュー画像生成部１４および／または画像処理部１２へ出力される。
【００３６】
画像処理部１２は、後述する設定受付部１６からのプリント出力に係る設定値に従って、入力画像に対して画像処理を行なうことで、プリント画像を生成する。このプリント画像は、プリント部１０７へ出力されて用紙へプリントされる。
【００３７】
プレビュー画像生成部１４は、設定受付部１６からのプリント出力に係る設定値に従って、入力画像に対して画像処理を行なうことで、入力画像を当該設定値に従ってプリント出力した場合のプリントイメージを表すプレビュー画像を生成する。このプレビュー画像は、入力画像が実際の用紙へプリント出力される前に、そのプリントした場合のイメージをユーザに対して表示するために用いられる。
【００３８】
さらに、プレビュー画像生成部１４は、プリントイメージに加えて、プリントイメージに含まれるページのうち、プリントに係る設定の内容に応じた特定の属性を共通にもつページを選択するための領域を表示するためのページ選択メニュー生成部１４ａを含む。すなわち、ページ選択メニュー生成部１４ａは、プリントイメージに加えて、プリントイメージに含まれるページのうち、特定の属性を有する１つ以上のページの一括選択を受付けるボタンなどを表示する。なお、このプリントに係る設定の内容に応じた特定の属性の詳細については、後述する。
【００３９】
設定受付部１６は、操作パネル１０５を介して入力される、入力画像のプリント出力に係る設定を受付けるとともに、設定された内容（設定値）を画像処理部１２およびプレビュー画像生成部１４へ出力する。なお、設定受付部１６は、ユーザが各設定を行なうための設定メニューを操作パネル１０５に表示する。このプリント出力に係る設定の代表例として、設定受付部１６は、仕上がり設定１６ａと、集約プリント設定１６ｂと、片面／両面プリント設定１６ｃと、プリント位置／方向設定１６ｄと、スタンプ設定１６ｅとを含む。これらの設定内容については後述する。
【００４０】
表示コントローラ１８は、プレビュー画像生成部１４で生成されたプレビュー画像およびページ選択メニューや、設定受付部１６から出力される設定メニューなどを、操作パネル１０５に表示させる。入力コントローラ２０は、操作パネル１０５に表示されるメニュー画面の特定の領域がユーザによって選択（押下）された場合には、当該メニュー画面上の対応する指令（ユーザ入力）を読出部１０、プレビュー画像生成部１４、設定受付部１６などへ出力する。
【００４１】
図１および図３に示す構成と本願発明との対応関係については、設定受付部１６が「受付手段」に相当し、操作パネル１０５が「表示手段」に相当する。
【００４２】
＜プリント処理に係る設定内容＞
次に、図４（ａ），図４（ｂ），図５（ａ），図５（ｂ），図６，図７を参照して、プリント処理に係る設定内容について説明する。
【００４３】
図４（ａ）および図４（ｂ）は、この発明の実施の形態に従う仕上がり処理の一例を説明するための図である。図５（ａ）および図５（ｂ）は、この発明の実施の形態に従う集約プリントの一例を説明するための図である。図６は、この発明の実施の形態に従う片面／両面プリント設定およびプリント位置／方向設定の一例を説明するための図である。図７は、この発明の実施の形態に従うスタンプ処理の一例を説明するための図である。
【００４４】
本実施の形態に従う仕上がり処理の一例として、図４（ａ）には、複数の原稿の所定位置にファイリング用のパンチ孔を形成するパンチ処理を示す。このパンチ処理についての設定内容としては、そのパンチ孔を形成する位置（たとえば、右端、左端、上端など）や、その孔の数などを含む。また、図４（ｂ）には、本実施の形態に従う仕上がり処理の別の一例として、複数枚の原稿の所定位置をステープルで綴じるステープル処理を示す。このステープル処理についての設定内容としては、ステープルで綴じる位置（たとえば、右上端、右横端、左上端、左横端など）およびその箇所数などを含む。
【００４５】
本実施の形態に従う集約プリントの一例として、図５（ａ）および図５（ｂ）には、入力画像に含まれる４ページ分の画像を１ページ分としてプリント出力（いわゆる、４ｉｎ１出力）する場合の処理を示す。このように集約プリントとは、入力画像に含まれる複数のページを単一のページに集約してプリント出力する処理であり、この集約プリントについての設定内容としては、１ページのプリント出力に含ませる入力画像のページ数や、各入力画像のページの配置順を含む。
【００４６】
この配置順として、図５（ａ）には入力画像に含まれる各ページが横方向に順次割り付けられた「横順」の場合が示されており、図５（ｂ）には入力画像に含まれる各ページが縦方向に順次割り付けられた「縦順」の場合が示されている。
【００４７】
図６には、４ページ分の入力画像を２枚の用紙に両面プリントする場合を示す。本実施の形態に従う片面／両面プリント設定では、このような入力画像の各ページを用紙の片面のみに画像形成するのか、あるいは両面に画像形成するのかを設定する。
【００４８】
また、図６には、より大きな画像サイズをもつ２つのページと、より小さな画像サイズをもつ２つのページとを含む入力画像の例が示されている。また、この図６に示す入力画像においては、より大きな画像サイズをもつ２つのページが横長方向（ランドスケープ）に配置されている一方、より小さな画像サイズをもつ２つのページが縦長方向（ポートレイト）に配置されている。このように、画像サイズおよび配置方向が互いに異なるページを含む入力画像を等倍で両面プリントした場合には、より小さな画像サイズをもつページに対応する用紙には、余白部が生じ得る。そこで、本実施の形態に従うプリント位置／方向設定の設定内容としては、プリント出力される画像の用紙に対するプリント位置やプリント方向（右端寄や左端寄）などを含む。
【００４９】
本実施の形態に従うスタンプ処理の一例として、図７には、ページ番号２２と、透かし文字（ウォーターマーク）２４と、プリント日時２６とを入力画像に合成してプリント出力する場合の処理を示す。このようにスタンプ処理とは、入力画像に何らかの文字や記号などを付加する編集を行なった上で、プリント出力する処理である。このスタンプ処理についての設定内容としては、合成する項目および各項目の位置などを含む。
【００５０】
＜全体処理手順＞
次に、図８を参照して、本実施の形態に従うＭＦＰ１における全体処理について説明する。図８は、この発明の実施の形態に従うＭＦＰ１における全体処理を示すフローチャートである。
【００５１】
図１、図３および図８を参照して、何らかのプリント出力を行なおうとするユーザは、操作パネル１０５を操作して、所望の入力画像を選択するとともに、プリント処理に係る設定値を入力する（ステップＳ２）。このユーザが入力した設定値は、設定受付部１６に一時的に格納される。そして、ユーザが、操作パネル１０５のスタートキー１２８を押下することで、読出部１０は、入力画像の読出処理を実行する（ステップＳ４）。なお、読出部１０による入力画像の読出処理には、画像読取部１０６による原稿からの入力画像生成、あるいは予めハードディスク１０４に格納された入力画像の抽出などを含む。
【００５２】
続いて、プレビュー画像生成部１４は、設定受付部１６に格納されている設定値に従って、プレビュー画像を生成し（ステップＳ６）、さらに生成したプレビュー画像を操作パネル１０５に表示する（ステップＳ８）。このとき、ページ選択メニュー生成部１４ａは、必要に応じて、特定の属性を共通にもつページを選択するためのページ選択メニューをプレビュー画像に加えて表示する。
【００５３】
次に、ユーザが、プリント出力に係る何らかの設定を変更した場合（ステップＳ１０においてＹＥＳの場合）には、プレビュー画像生成部１４は、当該変更後の設定値に従って、プレビュー画像を再生成し（ステップＳ１２）、当該再生成したプレビュー画像を操作パネル１０５に表示する（ステップＳ８）。なお、ユーザによる設定変更は、設定受付部１６に格納されている設定値にも反映される。
【００５４】
一方、ユーザが、プリント出力に係る設定を変更することなく、操作パネル１０５のスタートキー１２８を再度押下した場合（ステップＳ１４においてＹＥＳの場合）には、当該時点において設定受付部１６に格納されている設定値（ユーザによる変更が反映された後の値）に従って、画像処理部１２が入力画像に対して画像処理を行なうことで、プリント画像を生成する（ステップＳ１６）。さらに、プリント部１０７は、このプリント画像を用紙へプリント出力する（ステップＳ１８）。以上により、一例の処理が完了する。
【００５５】
本実施の形態に従うＭＦＰ１は、プレビュー画像に加えて、特定の属性を共通にもつページを指定するためのページ選択メニューを選択可能に表示することで、ユーザによる設定変更を容易に行なえるようにする。
【００５６】
＜プレビュー画面例１＞
図９は、本実施の形態に従うプレビュー画面の単ページ表示モードにおける表示例を示す図である。プレビュー画像生成部１４によってプレビュー画像が生成されると、表示コントローラ１８は、図９に示すようなプレビュー画面を操作パネル１０５に表示させる。このプレビュー画面において、ユーザがその左端に表示されるメニューボタンのうち、プレビューボタン３００を押下すると、初期モードとして、プレビュー画像が単ページ表示モードで表示される。この単ページ表示モードでは、プレビュー画像の１つのページが選択可能になっており、現在選択中のページのイメージがイメージ表示領域３１６に表示される。
【００５７】
さらに、ユーザが、確認表示タブ３０２内の前ページボタン３１８または次ページボタン３２０を押下すると、表示コントローラ１８は、イメージ表示領域３１６に表示されるイメージを、それぞれ現在選択中のページに対して前ページまたは次ページのものに更新する。また、ユーザが、確認表示タブ３０２内の縮小ボタン３１２または拡大ボタン３１４を押下すると、表示コントローラ１８は、イメージ表示領域３１６に表示されるイメージを、それぞれ縮小表示または拡大表示する。
【００５８】
また、確認表示タブ３０２内の選択ボタン３０６は単ページ表示モードを選択するためのボタンであり、一覧選択ボタン３０８は一覧表示モードを選択するためのボタンである。プレビュー画面の初期状態では、選択ボタン３０６が選択状態になっているが、ユーザが一覧選択ボタン３０８を押下すると、表示コントローラ１８は、プレビュー画面を一覧表示モードに変更する。
【００５９】
図１０は、本実施の形態に従うプレビュー画面の一覧表示モードにおける表示例（両面プリントおよび仕上がり設定時）を示す図である。一覧表示モードが選択されると、表示コントローラ１８は、操作パネル１０５に図１０に示すようなプレビュー画面を表示させる。図１０に示すプレビュー画面では、プレビュー画像に含まれる複数ページの各イメージがイメージ表示領域３３０に一覧表示される。また、ユーザが、前グループボタン３３２または次グループボタン３３４を押下すると、表示コントローラ１８は、イメージ表示領域３３０に一覧表示される対象のイメージを、それぞれ現在選択中のグループに対して所定数のページだけ前に戻しまたは先に進めたものに更新する。
【００６０】
さらに、表示コントローラ１８は、ページ選択メニュー生成部１４ａがプリントに係る設定の内容に応じた特定の属性を共通にもつページを選択するために生成したページ選択メニュー３４０を表示する。図１０に示すプレビュー画面は、両面プリント設定時がされた場合の一覧表示モードの例であり、この場合には、プリントに係る設定の内容に応じた特定の属性として、プレビュー画像に含まれるページのうち、奇数ページおよび偶数ページが選択可能に表示される。
【００６１】
すなわち、両面プリントされた用紙に対してパンチ処理などの仕上がり設定がなされていると、たとえば、奇数ページでは用紙の左端にパンチ孔が形成される一方で、偶数ページではその反対側（右端）にパンチ孔が形成される。そのため、パンチ孔に対するプリント位置については、奇数ページについて一括して設定し、かつ偶数ページについても一括して設定することができれば、ユーザは、より迅速かつ容易に所望の設定を行なうことができる。
【００６２】
このように、「設定の内容に応じた特定の属性を共通にもつページ」とは、代表的に、プリントに係る設定変更を行なう際に、当該設定変更を一括して反映することが好ましいページの組を意味する。
【００６３】
図１０に示すプレビュー画面では、奇数ページ選択ボタン３４０ａと、偶数ページ選択ボタン３４０ｂと、全ページ選択ボタン３４０ｃとを含むページ選択メニュー３４０が表示される。ユーザが、奇数ページ選択ボタン３４０ａを押下すると、入力コントローラ２０は、ユーザによる奇数ページの選択指令を受付けるとともに、表示コントローラ１８がイメージ表示領域３３０に一覧表示される複数のページのうち、奇数ページであるものを選択状態に表示する。なお、選択状態の表示の一例として、表示コントローラ１８は、選択対象のページの外枠を非選択対象のページの外枠とは異なった色に変化させ、さらに周期的に当該外枠の色を点滅させてもよい。同様に、ユーザが、偶数ページ選択ボタン３４０ｂを押下すると、入力コントローラ２０は、ユーザによる偶数ページの選択指令を受付けるとともに、表示コントローラ１８がイメージ表示領域３３０に一覧表示される複数のページのうち、偶数ページであるものを選択状態に表示する。
【００６４】
また、ユーザが、全ページ選択ボタン３４０ｃを押下すると、入力コントローラ２０は、ユーザによる全ページの選択指令を受付けるとともに、表示コントローラ１８がイメージ表示領域３３０に一覧表示されるすべてのページを選択状態に表示する。なお、図１０に示すプレビュー画面において、さらに、イメージ表示領域３３０に一覧表示される各ページを個別に選択できるようにしてもよい。
【００６５】
ユーザは、設定変更の対象とするページの選択が完了すると、ＯＫボタン３３６を押下する。すると、表示コントローラ１８は、操作パネル１０５における表示を、図９に示す単ページ表示モードのプレビュー画面に戻す。引き続いて、ユーザが図９に示す設定変更ボタン３１０を押下すると、表示コントローラ１８は、操作パネル１０５に設定変更画面を表示する。
【００６６】
図１１は、本実施の形態に従う設定変更画面の表示例（仕上がり設定時）を示す図である。上述したように、ユーザが所望のページを選択し、それに引き続いて、プリント設定変更を要求することで、設定変更画面が表示される。ユーザは、この設定変更画面を操作することで、予め選択した１つ以上のページに対して、一括して設定変更を行なう。
【００６７】
すなわち、表示コントローラ１８は、設定変更画面の一例として、図１１に示すような仕上がり設定を変更するための表示を行なう。図１１に示す設定変更画面には、パンチ孔の形成位置に応じて、３種類の設定メニュー３５２，３５４，３５６が表示される。このうち、設定メニュー３５２は、用紙の右端に２つのパンチ孔を形成するモードであり、パンチ孔に対するプリント位置を用紙に対して左側または右側に変更することが可能である。すなわち、入力コントローラ２０は、ユーザによる−ボタン３６２ａまたは＋ボタン３６２ｂの押下に応答して、設定値を所定量ずつ減少または増加させるためのコマンドを設定受付部１６および表示コントローラ１８へ送出する。すると、表示コントローラ１８は、これらのユーザ操作によって入力される設定変更後の値を設定値表示領域３６２に表示する。
【００６８】
同様に、設定メニュー３５４は、用紙の上端に２つのパンチ孔を形成するモードであり、ユーザによる−ボタン３６４ａまたは＋ボタン３６４ｂの押下に応答して、設定変更後の値が設定値表示領域３６４に表示される。また、設定メニュー３５６は、用紙の右端に２つのパンチ孔を形成するモードであり、ユーザによる−ボタン３６６ａまたは＋ボタン３６６ｂの押下に応答して、設定変更後の値が設定値表示領域３６６に表示される。
【００６９】
ユーザは、設定変更が完了すると、ＯＫボタン３５８を押下する。すると、設定受付部１６は、このようなユーザ操作によって入力される設定内容を、図１０に示すプレビュー画面において予め選択されたページに対して一括して反映する。すなわち、設定受付部１６は、仕上がり設定１６ａに格納されている設定内容（プレビュー画面において予め選択されたページ分）をユーザ操作によって入力された内容に更新する。その後、表示コントローラ１８は、操作パネル１０５における表示を、図９に示す単ページ表示モードのプレビュー画面に戻す。
【００７０】
これに対して、ユーザがキャンセルボタン３６０を押下すると、ユーザ操作によって入力された設定内容は破棄された上で、操作パネル１０５の表示は、図９に示す単ページ表示モードのプレビュー画面に戻る。
【００７１】
このようなユーザによる一連の操作によって、特定の属性を共通にもつページが選択され、この選択に引き続いて入力される設定内容が対応するページに一括して反映される。
【００７２】
＜プレビュー画面例２＞
図１２は、本実施の形態に従うプレビュー画面の一覧表示モードにおける表示例（集約プリント設定時）を示す図である。図１３は、本実施の形態に従う設定変更画面の表示例（集約プリント設定時）を示す図である。
【００７３】
図１２に示すプレビュー画面では、プレビュー画像に含まれる複数ページの各イメージがイメージ表示領域３３０に一覧表示される。また、ユーザが、前グループボタン３３２または次グループボタン３３４を押下すると、表示コントローラ１８は、イメージ表示領域３３０に一覧表示される対象のイメージを、それぞれ現在選択中のグループに対して所定数のページだけ前に戻しまたは先に進めたものに更新する。
【００７４】
さらに、表示コントローラ１８は、ページ選択メニュー生成部１４ａがプリントに係る設定の内容に応じた特定の属性を共通にもつページを選択するために生成したページ選択メニュー３４０を表示する。図１２に示すプレビュー画面では、プリントに係る設定の内容に応じた特定の属性として、プレビュー画像に含まれるページのうち、奇数ページおよび偶数ページが選択可能に表示される。すなわち、このプレビュー画面では、奇数ページ選択ボタン３４０ａと、偶数ページ選択ボタン３４０ｂと、全ページ選択ボタン３４０ｃとを含むページ選択メニュー３４０が表示される。
【００７５】
図１０に示すプレビュー画面と同様に、ユーザが、それぞれ奇数ページ選択ボタン３４０ａ、偶数ページ選択ボタン３４０ｂ、全ページ選択ボタン３４０ｃを押下すると、表示コントローラ１８は、イメージ表示領域３３０に一覧表示される複数のページのうち、それぞれ奇数ページ、偶数ページ、すべてのページを選択するための指令を受付ける。また、表示コントローラ１８は、イメージ表示領域３３０に一覧表示される複数のページのうち、選択されたページを選択状態に表示する。
【００７６】
ユーザがＯＫボタン３３６を押下すると、表示コントローラ１８は、操作パネル１０５における表示を、図９に示す単ページ表示モードのプレビュー画面に戻す。引き続いて、ユーザが設定変更ボタン３１０を押下すると、表示コントローラ１８は、操作パネル１０５に図１３に示す設定変更画面を表示する。
【００７７】
図１３に示す設定変更画面では、集約プリントにおける各ページの割り付け方向を、「横順」および「縦順」のうちいずれかを任意に選択できるようになっている。すなわち、入力コントローラ２０は、ユーザが選択ボタン３７２を押下すると、集約プリントの設定内容を「横順」に変更するための指令を受付け、ユーザが選択ボタン３７４を押下すると、集約プリントの設定内容を「縦順」に変更するための指令を受付ける。さらに、ユーザがＯＫボタン３６８を押下すると、設定受付部１６は、このようなユーザ操作によって入力される設定内容を、図１２に示すプレビュー画面において予め選択されたページに対して一括して反映する。その後、表示コントローラ１８は、操作パネル１０５における表示を、図９に示す単ページ表示モードのプレビュー画面に戻す。
【００７８】
なお、ユーザがキャンセルボタン３６０を押下すると、ユーザ操作によって入力された設定内容は破棄された上で、操作パネル１０５の表示は、図９に示す単ページ表示モードのプレビュー画面に戻る。
【００７９】
＜プレビュー画面例３＞
図１４は、本実施の形態に従うプレビュー画面の一覧表示モードにおける表示例（縦長原稿および横長原稿の混在ならびにスタンプ設定時）を示す図である。図１５は、本実施の形態に従う設定変更画面の表示例（縦長原稿および横長原稿の混在ならびにスタンプ設定時）を示す図である。
【００８０】
図１４に示すプレビュー画面では、プレビュー画像に含まれる複数ページの各イメージがイメージ表示領域３３０に一覧表示される。また、ユーザが、前グループボタン３３２または次グループボタン３３４を押下すると、表示コントローラ１８は、イメージ表示領域３３０に一覧表示される対象のイメージを、それぞれ現在選択中のグループに対して所定数のページだけ前に戻しまたは先に進めたものに更新する。
【００８１】
さらに、表示コントローラ１８は、ページ選択メニュー生成部１４ａがプリントに係る設定の内容に応じた特定の属性を共通にもつページを選択するために生成したページ選択メニュー３８０を表示する。図１４に示すプレビュー画面は、縦長原稿および横長原稿が混在した入力画像に対して、ページ番号のスタンプ処理が設定された場合の一覧表示モードの例である。この場合には、プリントに係る設定の内容に応じた特定の属性として、原稿方向（画像方向）が選択可能に表示される。
【００８２】
すなわち、縦長原稿および横長原稿が混在している場合には、いずれのページについてもその下端の中央部にページ番号を付加するように設定することができる。代替的に、各ページにおける短辺側の中央部、すなわち縦長原稿では下端の中央部にページ番号を付加し、横長原稿では左端中央部にページ番号を付加するように設定することもできる。そのため、このようなページ位置などについては、横長原稿のページについて一括して設定し、かつ縦長原稿のページについても一括して設定することができれば、ユーザは、より迅速かつ容易に所望の設定を行なうことができる。
【００８３】
図１４に示すプレビュー画面では、ランドスケープ選択ボタン３８０ａと、ポートレイト選択ボタン３８０ｂと、全ページ選択ボタン３８０ｃとを含むページ選択メニュー３８０が表示される。
【００８４】
ユーザが、ランドスケープ選択ボタン３８０ａを押下すると、表示コントローラ１８は、イメージ表示領域３３０に一覧表示される複数のページのうち、横長方向（ランドスケープ）のページを選択するための指令を受付ける。また、ユーザが、ポートレイト選択ボタン３８０ｂを押下すると、表示コントローラ１８は、イメージ表示領域３３０に一覧表示される複数のページのうち、縦長方向（ポートレイト）のページを選択するための指令を受付ける。また、表示コントローラ１８は、イメージ表示領域３３０に一覧表示される複数のページのうち、選択されたページを選択状態に表示する。
【００８５】
ユーザは、設定変更の対象とするページの選択が完了すると、ＯＫボタン３７６を押下する。すると、表示コントローラ１８は、操作パネル１０５における表示を、図９に示す単ページ表示モードのプレビュー画面に戻す。引き続いて、ユーザが図９に示す設定変更ボタン３１０を押下すると、表示コントローラ１８は、操作パネル１０５に図１５に示す設定変更画面を表示する。
【００８６】
図１５に示す設定変更画面では、選択中のページにおけるページ番号のプリント位置を任意に指定できるようになっている。具体的には、大まかなプリント位置を指定するための選択ボタン群３９２と、プリント位置の微調整を選択するための調整変更ボタン３９４とが表示される。入力コントローラ２０は、ユーザが選択ボタン群３９２のうちいずれかの選択ボタンを押下すると、スタンプ処理の内容（ページ番号のプリント位置）を対応する位置（たとえば、「左上」や「中央下」）に変更するための指令を受付ける。なお、ユーザが調整変更ボタン３９４を押下すると、微調整用の設定画面（図示しない）がさらに表示され、入力コントローラ２０は、ページ番号のプリント位置を微調整するための指令を受付ける。さらに、ユーザがＯＫボタン３８８を押下すると、設定受付部１６は、このようなユーザ操作によって入力される設定内容を、図１４に示すプレビュー画面において予め選択されたページに対して一括して反映する。その後、表示コントローラ１８は、操作パネル１０５における表示を、図９に示す単ページ表示モードのプレビュー画面に戻す。
【００８７】
なお、ユーザがキャンセルボタン３９０を押下すると、ユーザ操作によって入力された設定内容は破棄された上で、操作パネル１０５の表示は、図９に示す単ページ表示モードのプレビュー画面に戻る。
【００８８】
＜プレビュー画面例４＞
図１６は、本実施の形態に従うプレビュー画面の一覧表示モードにおける表示例（複数の画像サイズの混在ならびに両面プリント設定時）を示す図である。図１７は、本実施の形態に従う設定変更画面の表示例（複数の画像サイズの混在ならびに両面プリント設定時）を示す図である。
【００８９】
図１６に示すプレビュー画面では、プレビュー画像に含まれる複数ページの各イメージがイメージ表示領域３３０に一覧表示される。また、ユーザが、前グループボタン３３２または次グループボタン３３４を押下すると、表示コントローラ１８は、イメージ表示領域３３０に一覧表示される対象のイメージを、それぞれ現在選択中のグループに対して所定数のページだけ前に戻しまたは先に進めたものに更新する。
【００９０】
さらに、表示コントローラ１８は、ページ選択メニュー生成部１４ａがプリントに係る設定の内容に応じた特定の属性を共通にもつページを選択するために生成したページ選択メニュー４００を表示する。図１６に示すプレビュー画面は、複数の画像サイズが混在した入力画像に対して、両面プリントが設定された場合の一覧表示モードの例である。この場合には、プリントに係る設定の内容に応じた特定の属性として、プリント方向（画像方向）およびプリント位置（画像位置）が選択可能に表示される。
【００９１】
すなわち、複数の画像サイズが混在している場合に両面プリントが設定されると、最も大きな画像サイズをプリントできるように用紙の大きさが決定されるので、より小さな画像サイズを同サイズの用紙にプリントしようとすると当該用紙上に余白部が生じ得る。言い換えれば、より小さな画像サイズのページをプリントする場合には、用紙上のプリント方向およびプリント位置をより高い自由度で設定できることを意味する。そのため、このようなプリント方向やプリント位置などについては、同一の画像サイズをもつページに対して一括して設定することができれば、ユーザは、より迅速かつ容易に所望の設定を行なうことができる。
【００９２】
図１６に示すプレビュー画面では、大サイズ選択ボタン４００ａと、小サイズ選択ボタン４００ｂと、全ページ選択ボタン４００ｃとを含むページ選択メニュー４００が表示される。なお、図１６に示すページ選択メニュー４００は、入力画像に２種類の画像サイズが混在している場合を示すが、より多くの種類の画像サイズが混在している場合には、その画像サイズの種類数に応じた選択ボタンが表示されることになる。
【００９３】
ユーザが、大サイズ選択ボタン４００ａを押下すると、表示コントローラ１８は、イメージ表示領域３３０に一覧表示される複数のページのうち、より大きな画像サイズをもつページを選択するための指令を受付ける。また、ユーザが、小サイズ選択ボタン４００ｂを押下すると、表示コントローラ１８は、イメージ表示領域３３０に一覧表示される複数のページのうち、より小さな画像サイズをもつページを選択するための指令を受付ける。また、表示コントローラ１８は、イメージ表示領域３３０に一覧表示される複数のページのうち、選択されたページを選択状態に表示する。
【００９４】
ユーザは、設定変更の対象とするページの選択が完了すると、ＯＫボタン３９６を押下する。すると、表示コントローラ１８は、操作パネル１０５における表示を、図９に示す単ページ表示モードのプレビュー画面に戻す。引き続いて、ユーザが図９に示す設定変更ボタン３１０を押下すると、表示コントローラ１８は、操作パネル１０５に図１７に示す設定変更画面を表示する。
【００９５】
図１７に示す設定変更画面では、選択中のページにおける用紙に対する画像のプリント方向およびプリント位置の組合せを任意に指定できるようになっている。一例として、用紙右端を基準として画像を縦長方向に配置するための選択ボタン４１２と、用紙左端を基準として画像を縦長方向に配置するための選択ボタン４１４と、用紙右上端を基準として画像を横長方向に配置するための選択ボタン４１６と、用紙左上端を基準として画像を横長方向に配置するための選択ボタン４１８とが表示される。入力コントローラ２０は、ユーザが選択ボタン４１２〜４１８のうちいずれか１つを押下すると、プリント方向およびプリント位置の設定値を当該ボタンに対応する内容に変更するための指令を受付ける。さらに、ユーザがＯＫボタン４０８を押下すると、設定受付部１６は、このようなユーザ操作によって入力される設定内容を、図１６に示すプレビュー画面において予め選択されたページに対して一括して反映する。その後、表示コントローラ１８は、操作パネル１０５における表示を、図９に示す単ページ表示モードのプレビュー画面に戻す。
【００９６】
なお、ユーザがキャンセルボタン４１０を押下すると、ユーザ操作によって入力された設定内容は破棄された上で、操作パネル１０５の表示は、図９に示す単ページ表示モードのプレビュー画面に戻る。
【００９７】
＜プレビュー画面例５＞
図１８は、本実施の形態に従うプレビュー画面の一覧表示モードにおける表示例（モノクロ画像およびカラー画像の混在ならびにスタンプ設定時）を示す図である。図１９は、本実施の形態に従う設定変更画面の表示例（モノクロ画像およびカラー画像の混在ならびにスタンプ設定時）を示す図である。
【００９８】
図１８に示すプレビュー画面では、プレビュー画像に含まれる複数ページの各イメージがイメージ表示領域３３０に一覧表示される。また、ユーザが、前グループボタン３３２または次グループボタン３３４を押下すると、表示コントローラ１８は、イメージ表示領域３３０に一覧表示される対象のイメージを、それぞれ現在選択中のグループに対して所定数のページだけ前に戻しまたは先に進めたものに更新する。
【００９９】
さらに、表示コントローラ１８は、ページ選択メニュー生成部１４ａがプリントに係る設定の内容に応じた特定の属性を共通にもつページを選択するために生成したページ選択メニュー４２０を表示する。図１８に示すプレビュー画面は、モノクロ画像およびカラー画像が混在した入力画像に対して、「ＳＥＣＲＥＴ」の文字を合成するためのスタンプ設定がされた場合の一覧表示モードの例である。この場合には、プリントに係る設定の内容に応じた特定の属性として、モノクロ画像およびカラー画像が選択可能に表示される。
【０１００】
具体的には、カラー画像に対してスタンプ設定がされると、当該カラー画像の背景色と合成される文字色との相対的な関係によって、合成対象の文字の視認性が低下する場合がある。たとえば、その背景色が濃色系であるカラー画像に対しては、淡色系の文字を合成することが好ましい。一方、このようなスタンプ設定をそのままモノクロ画像に適用すると、モノクロ画像の背景は一般的に白色であるため、十分な視認性を発揮できない場合がある。したがって、モノクロ画像に対して合成する文字の色と、カラー画像に対して合成する文字の色とをそれぞれ適切に設定することが好ましい場合がある。そこで、モノクロ画像のページおよびカラー画像のページのそれぞれに対して一括してスタンプ設定ができれば、ユーザは、より迅速かつ容易に所望の設定を行なうことができる。
【０１０１】
図１８に示すプレビュー画面では、モノクロページ選択ボタン４２０ａと、カラーページ選択ボタン４２０ｂと、全ページ選択ボタン４２０ｃとを含むページ選択メニュー４２０が表示される。
【０１０２】
ユーザが、モノクロページ選択ボタン４２０ａを押下すると、表示コントローラ１８は、イメージ表示領域３３０に一覧表示される複数のページのうち、モノクロ画像であるページを選択するための指令を受付ける。また、ユーザが、カラーページ選択ボタン４２０ｂを押下すると、表示コントローラ１８は、イメージ表示領域３３０に一覧表示される複数のページのうち、カラー画像であるページを選択するための指令を受付ける。また、表示コントローラ１８は、イメージ表示領域３３０に一覧表示される複数のページのうち、選択されたページを選択状態に表示する。
【０１０３】
ユーザは、設定変更の対象とするページの選択が完了すると、ＯＫボタン４２６を押下する。すると、表示コントローラ１８は、操作パネル１０５における表示を、図９に示す単ページ表示モードのプレビュー画面に戻す。引き続いて、ユーザが図９に示す設定変更ボタン３１０を押下すると、表示コントローラ１８は、操作パネル１０５に図１９に示す設定変更画面を表示する。
【０１０４】
図１９に示す設定変更画面では、一例として、合成する文字の色を任意に指定できるようになっている。具体的には、文字色を指定するための選択ボタン群４３２が表示される。入力コントローラ２０は、ユーザが選択ボタン群４３２のうちいずれかの選択ボタンを押下すると、スタンプ設定における合成される文字色の設定値を当該ボタンに対応する色に変更するための指令を受付ける。さらに、ユーザがＯＫボタン４２８を押下すると、設定受付部１６は、このようなユーザ操作によって入力される設定内容を、図１８に示すプレビュー画面において予め選択されたページに対して一括して反映する。その後、表示コントローラ１８は、操作パネル１０５における表示を、図９に示す単ページ表示モードのプレビュー画面に戻す。
【０１０５】
なお、ユーザがキャンセルボタン４３０を押下すると、ユーザ操作によって入力された設定内容は破棄された上で、操作パネル１０５の表示は、図９に示す単ページ表示モードのプレビュー画面に戻る。
【０１０６】
＜プレビュー画面例６＞
上述のプレビュー画面例１〜５においては、理解を容易にするために、個々のプリント出力に係る設定の場合について例示したが、同一の入力画像に対して、複数の項目が同時に設定される場合もある。その場合には、それぞれのプリントに係る設定の内容に応じた特定の属性を共通にもつページの選択候補が複数存在することになり、これらをより容易に選択できることが望ましい。そこで、図２０および図２１を参照して、複数の選択候補が存在する場合の画面例を説明する。
【０１０７】
図２０は、本実施の形態に従うプレビュー画面の一覧表示モードにおける表示例（複数の項目設定時）を示す図である。図２１は、図２０に示すプレビュー画面におけるサブメニュー４５０の表示例を示す図である。
【０１０８】
図２０に示すプレビュー画面は、図１０に示すプレビュー画面において、対象ページ一覧ボタン４４０が追加されたものである。現在のプリントに係る設定に複数の項目が含まれる場合には、ページ選択メニュー生成部１４ａが特定の属性を共通にもつページのセットを選択可能なサブメニュー４５０を生成する。そして、ユーザが対象ページ一覧ボタン４４０を押下すると、図２１に示すように、表示コントローラ１８がページ選択メニュー生成部１４ａによって生成されたサブメニュー４５０をプレビュー画面に重ねて表示する。
【０１０９】
図２１に示すサブメニュー４５０では、プリントに係る設定に応じて、選択可能なページ候補を選択するためのボタンが一覧表示される。なお、図２１に示す例では、上述したすべての選択ボタンが選択可能な場合を示すが、このサブメニュー４５０には、設定項目に応じて必要な選択ボタンだけが表示されてもよい。
【０１１０】
このサブメニュー４５０において、ユーザが任意の選択ボタンを押下すると、表示コントローラ１８は、押下されたボタンに対応するページを選択するための指令を受付ける。そして、設定受付部１６は、上述と同様のユーザ操作によって入力される設定内容を、この選択したページに対して一括して反映する。
【０１１１】
＜処理手順＞
図２２は、図８に示すステップＳ８のプレビュー表示処理におけるより詳細な処理内容を示すフローチャートである。図２３は、図２２中のステップＳ１１６におけるページ選択メニュー生成処理のより詳細な内容を示すフローチャートである。図２４は、図２２中のステップＳ１２０におけるページ選択受付処理のより詳細内容を示すフローチャートである。図２５は、図２２中のステップＳ１２８における設定変更の反映処理のより詳細内容を示すフローチャートである。なお、図２２〜図２５に示すフローチャートにおける処理は、代表的に、図３に示すＭＦＰ１の制御構造によって実現される。
【０１１２】
図２２を参照して、まず、表示コントローラ１８は、ページインデックスＮを１に初期化し（ステップＳ１００）、プレビュー画像生成部１４で生成されたプレビュー画像のうち、ページインデックスＮに相当するページのイメージを操作パネル１０５に表示する（ステップＳ１０２）。
【０１１３】
続いて、入力コントローラ２０は、前ページボタン３１８が押下されたか否かを判断する（ステップＳ１０４）。前ページボタン３１８が押下された場合（ステップＳ１０４においてＹＥＳの場合）には、表示コントローラ１８がページインデックスＮを１だけデクリメントし（ステップＳ１０６）、プレビュー画像のうち、デクリメント後のページインデックスＮに相当するページのイメージを操作パネル１０５に表示する（ステップＳ１０２）。
【０１１４】
前ページボタン３１８が押下されていない場合（ステップＳ１０４においてＮＯの場合）には、入力コントローラ２０は、次ページボタン３２０が押下されたか否かを判断する（ステップＳ１０８）。次ページボタン３２０が押下された場合（ステップＳ１０８においてＹＥＳの場合）には、表示コントローラ１８がページインデックスＮを１だけインクリメントし（ステップＳ１１０）、プレビュー画像のうち、インクリメント後のページインデックスＮに相当するページのイメージを操作パネル１０５に表示する（ステップＳ１０２）。
【０１１５】
次ページボタン３２０が押下されていない場合（ステップＳ１０８においてＮＯの場合）には、入力コントローラ２０は、一覧選択ボタン３０８が押下されたか否かを判断する（ステップＳ１１２）。一覧選択ボタン３０８が押下された場合（ステップＳ１１２においてＹＥＳの場合）には、表示コントローラ１８が操作パネル１０５に表示されるプレビュー画面を一覧表示モードに変更する（ステップＳ１１４）。続いて、ページ選択メニュー生成部１４ａが、プレビュー画像に基づいてページ選択メニュー３４０を表示するためのデータを生成し（ステップＳ１１６）、表示コントローラ１８が、このデータに従ってページ選択メニュー３４０を表示する（ステップＳ１１８）。さらに、入力コントローラ２０は、ユーザによるページ選択メニュー３４０の操作の受付処理を実行（ステップＳ１２０）した後、ＯＫボタン３３６が押下されたか否かを判断する（ステップＳ１２２）。ＯＫボタン３３６が押下されていない場合（ステップＳ１２２においてＮＯの場合）には、ステップＳ１２０以下の処理が繰返される。これに対して、ＯＫボタン３３６が押下された場合（ステップＳ１２２においてＹＥＳの場合）には、処理はステップＳ１０２に戻される。
【０１１６】
一覧選択ボタン３０８が押下されていない場合（ステップＳ１１２においてＮＯの場合）には、入力コントローラ２０は、設定変更ボタン３１０が押下されたか否かを判断する（ステップＳ１２４）。設定変更ボタン３１０が押下された場合（ステップＳ１２４においてＹＥＳの場合）には、表示コントローラ１８が、設定変更画面を操作パネル１０５に表示する（ステップＳ１２６）。そして、設定受付部１６は、入力コントローラ２０を介して、ユーザによる設定変更画面に対する操作を受付け、これらのユーザ操作に応じた設定内容を予め選択している１つ以上のページに対して一括して反映する（ステップＳ１２８）。そして、プレビュー表示処理は終了する。
【０１１７】
設定変更ボタン３１０が押下されていない場合（ステップＳ１２４においてＮＯの場合）には、処理はステップＳ１０２に戻される。
【０１１８】
図２３を参照して、ページ選択メニュー生成部１４ａは、プレビュー画像に含まれるページ数を抽出（ステップＳ２００）し、そのページ番号を全ページ選択ボタン３４０ｃ（３８０ｃ，４００ｃ，４２０ｃ）に対応付ける（ステップＳ２０２）。
【０１１９】
続いて、ページ選択メニュー生成部１４ａは、設定受付部１６の仕上がり設定１６ａを参照して、両面プリントが設定されているか否かを判断する（ステップＳ２０４）。両面プリントが設定されている場合（ステップＳ２０４においてＹＥＳの場合）には、ページ選択メニュー生成部１４ａは、設定受付部１６の集約プリント設定１６ｂを参照して、集約プリントが設定されているか否かを判断する（ステップＳ２０６）。
【０１２０】
集約プリントが設定されていない場合（ステップＳ２０６においてＮＯの場合）には、ページ選択メニュー生成部１４ａは、プレビュー画像に含まれるページ数のうち奇数ページの番号を奇数ページ選択ボタン３４０ａに対応付け、偶数ページの番号を偶数ページ選択ボタン３４０ｂに対応付ける（ステップＳ２０８）。
【０１２１】
集約プリントが設定されている場合（ステップＳ２０６においてＹＥＳの場合）には、ページ選択メニュー生成部１４ａは、入力画像に含まれるページ数を抽出し、このページ数のうち集約プリントの集約枚数Ｎの奇数倍になるページ番号（Ｎ，３Ｎ，・・・）を奇数ページ選択ボタン３４０ａに対応付け、集約プリントの集約枚数Ｎの偶数倍になるページ番号（２Ｎ，４Ｎ，・・・）を偶数ページ選択ボタン３４０ｂに対応付ける（ステップＳ２１０）。
【０１２２】
さらに、ページ選択メニュー生成部１４ａは、入力画像に横長方向（ランドスケープ）および縦長方向（ポートレイト）の画像が混在しているか否かを判断する（ステップＳ２１２）。入力画像に横長方向および縦長方向の画像が混在している場合（ステップＳ２１２においてＹＥＳの場合）には、入力画像のうち横長方向の画像が存在するページを抽出し、そのページ番号をランドスケープ選択ボタン３８０ａに対応付け、残りのページ番号を、ポートレイト選択ボタン３８０ｂに対応付ける（ステップＳ２１４）。
【０１２３】
さらに、ページ選択メニュー生成部１４ａは、入力画像に異なる画像サイズをもつ画像が混在しているか否かを判断する（ステップＳ２１６）。入力画像に異なる画像サイズをもつ画像が混在している場合（ステップＳ２１６においてＹＥＳの場合）には、入力画像のうち、より大きな画像サイズのページを抽出し、そのページ番号を大サイズ選択ボタン４００ａに対応付け、より小さな画像サイズのページを抽出し、そのページ番号を小サイズ選択ボタン４００ｂに対応付ける（ステップＳ２１８）。
【０１２４】
さらに、ページ選択メニュー生成部１４ａは、入力画像にモノクロ画像およびカラー画像が混在しているか否かを判断する（ステップＳ２２０）。入力画像にモノクロ画像およびカラー画像が混在している場合（ステップＳ２２０においてＹＥＳの場合）には、入力画像のうち、モノクロページを抽出し、そのページ番号をモノクロページ選択ボタン４２０ａに対応付け、カラーページを抽出し、そのページ番号をカラーページ選択ボタン４２０ｂに対応付ける（ステップＳ２２２）。
【０１２５】
さらに、ページ選択メニュー生成部１４ａは、ステップＳ２０８，Ｓ２１０，Ｓ２１４，Ｓ２１８，Ｓ２２２のうち、複数のステップを実行したか否かを判断する（ステップＳ２２４）。すなわち、ページ選択メニュー生成部１４ａは、プリント設定に項目が同時に複数設定されているか否かを判断する。上述のステップのうち複数を実行した場合（ステップＳ２２４においてＹＥＳの場合）、ページ選択メニュー生成部１４ａは、実行したステップにおいて対応付けた選択ボタンの一覧を含むサブメニュー４５０を表示するためのデータを生成する（ステップＳ２２６）。
【０１２６】
最終的に、ページ選択メニュー生成部１４ａは、上述の処理によって対応付けたデータなどを表示コントローラ１８へ出力する（ステップＳ２２８）。その後、図２２のステップＳ１１８の処理が実行される。
【０１２７】
図２４を参照して、入力コントローラ２０は、表示中のページ選択メニュー３４０（３８０，４００，４２０）を構成するいずれかの選択ボタンが押下されたか否かを判断する（ステップＳ３００）。いずれかの選択ボタンが押下された場合（ステップＳ３００においてＹＥＳの場合）には、入力コントローラ２０は、ページ選択メニュー生成部１４ａで生成されたデータを参照して、押下された選択ボタンに対応付けられているページ番号を設定受付部１６へ通知する（ステップＳ３０２）。
【０１２８】
一方、いずれかの選択ボタンも押下されていない場合（ステップＳ３００においてＮＯの場合）には、入力コントローラ２０は、対象ページ一覧ボタン４４０が押下されたか否かを判断する（ステップＳ３０４）。対象ページ一覧ボタン４４０が押下された場合（ステップＳ３０４においてＹＥＳ）には、入力コントローラ２０は、対象ページ一覧ボタン４４０の押下を表示コントローラ１８へ通知する（ステップＳ３０６）。すると、表示コントローラ１８が、ページ選択メニュー生成部１４ａからのデータに基づいてサブメニュー４５０を表示する（ステップＳ３０８）。続いて、入力コントローラ２０は、サブメニュー４５０に含まれるいずれかの選択ボタンが押下されたか否かを判断する（ステップＳ３１０）。いずれかの選択ボタンが押下された場合（ステップＳ３１０においてＹＥＳの場合）には、入力コントローラ２０は、ページ選択メニュー生成部１４ａで生成されたデータを参照して、押下された選択ボタンに対応付けられているページ番号を設定受付部１６へ通知する（ステップＳ３１２）。
【０１２９】
一方、いずれかの選択ボタンも押下されていない場合（ステップＳ３１０においてＮＯの場合）には、ステップＳ３１０の処理が繰返される。
【０１３０】
これらの処理の実行後、図２２のステップＳ１２２の処理が実行される。
図２５を参照して、設定受付部１６は、入力コントローラ２０を介して、設定変更画面に対してユーザが入力した指令を受信するまで待つ（ステップＳ４００）。ユーザが入力した指令を受信すると（ステップＳ４００においてＹＥＳ）、設定受付部１６は、当該指令に従うプリントに係る設定を一時的に格納する（ステップＳ４０２）。
【０１３１】
さらに、設定受付部１６は、入力コントローラ２０を介して、設定変更画面においてＯＫボタンの押下を示す指令を受信したか否かを判断する（ステップＳ４０４）。ＯＫボタンの押下を示す指令を受信した場合（ステップＳ４０４においてＹＥＳの場合）には、設定受付部１６は、図２４のＳ３１２において入力コントローラ２０から予め受信しているページ番号に基づいて、ステップＳ４０２において格納しているプリントに係る設定を対応するページに反映する（ステップＳ４０６）。より具体的には、設定受付部１６は、仕上がり設定１６ａ、集約プリント設定１６ｂ、片面／両面プリント設定１６ｃ、プリント位置／方向設定１６ｄ、スタンプ設定１６ｅのうち、対応する設定の対応するページにおける内容を一括して更新する。
【０１３２】
一方、ＯＫボタンの押下を示す指令を受信していない場合（ステップＳ４０４においてＮＯの場合）には、設定受付部１６は、入力コントローラ２０を介して、設定変更画面においてキャンセルボタンの押下を示す指令を受信したか否かを判断する（ステップＳ４０８）。キャンセルボタンの押下を示す指令を受信した場合（ステップＳ４０８においてＹＥＳの場合）には、設定受付部１６は、ステップＳ４０２において一時的に格納しているプリントに係る設定を破棄する（ステップＳ４１０）。
【０１３３】
また、キャンセルボタンの押下を示す指令を受信していない場合（ステップＳ４０８においてＮＯの場合）には、ステップＳ４０４以下の処理が繰返される。
【０１３４】
これらの処理が終了すると、プレビュー表示処理は終了する。
＜本実施の形態の効果＞
この発明の実施の形態によれば、プリント出力前のプレビュー表示時において、プリント出力に係る設定の内容に応じて、特定の属性を共通にもつページを一括して選択することができる。そして、ユーザがこのページ選択に引き続いて所望の内容を設定すると、当該内容が選択されたページに対して一括して反映される。そのため、プリント出力されるページ中に複数の種類のページ設定が含まれている場合であっても、各ページ設定の内容を容易かつ迅速に変更できる。その結果、よりユーザフレンドリな画像処理装置を提供できる。
【０１３５】
＜他の実施の形態＞
上述の実施の形態では、本発明に係る画像処理装置をＭＦＰによって実現する構成について例示したが、文書作成アプリケーションなどが実行されるパーソナルコンピュータを用いて実現してもよい。この場合には、文書作成アプリケーションがプリント出力の対象となる入力画像を生成する。
【０１３６】
図２６は、この発明の他の実施の形態に従うシステムの概略構成図である。
図２６を参照して、本実施の形態に従うシステムでは、本発明に係る画像処理装置として機能するパーソナルコンピュータＰＣと、入力画像をプリント出力可能なＭＦＰとが、ネットワークＮＷを介して互いにデータ通信可能に構成されている。
【０１３７】
パーソナルコンピュータＰＣは、代表的に、公知のオペレーティングシステム（ＯＳ：Operating System）がインストールされており、本発明に係る画像処理方法を実行するプログラムが当該オペレーティングシステム上で実行されることで、本発明に係る画像処理装置として機能する。
【０１３８】
図２７は、この発明の他の実施の形態に従うパーソナルコンピュータＰＣの概略のハードウェア構成を示す模式図である。
【０１３９】
図２７を参照して、パーソナルコンピュータＰＣは、オペレーティングシステムおよび本発明に係るプログラムなどを実行するＣＰＵ２０１と、ＣＰＵ２０１での処理に必要なデータを一時的に記憶するＲＡＭ（Random Access Memory）２０３と、ＣＰＵ２０１で実行されるオペレーティングシステムやプログラムを不揮発的に記憶するハードディスク２０４とを含む。本発明に係るプログラムは、ＣＤ−ＲＯＭ（Compact Disk-Read Only Memory）ドライブ２０６またはフレキシブルディスク（ＦＤ：Flexible Disk）ドライブ２０７によって、それぞれＣＤ−ＲＯＭ２０６ａまたはフレキシブルディスク２０７ａなどから読取られる。
【０１４０】
ＣＰＵ２０１は、キーボードやマウスなどからなる入力部２０２を介してユーザによる操作要求を受取るとともに、プログラムの実行によって生成される画面出力をディスプレイ２０５へ出力する。また、ＣＰＵ２０１は、ＬＡＮカードなどからなるネットワークインタフェース２０８を介して、ＭＦＰ１との間でデータ通信を行なう。なお、各部位は、内部バス２０９を介して互いに接続される。
【０１４１】
このようなハードウェアを用いることで、上述したようなＭＦＰ１によって提供される機能と同様の機能をパーソナルコンピュータＰＣを用いて提供することができる。その提供される機能の内容については、上述したものと同様であるので、詳細な説明は繰返さない。
【０１４２】
さらに、本発明に係るプログラムは、オペレーティングシステムの一部として提供されるプログラムモジュールのうち、必要なモジュールを所定の配列およびタイミングで呼出して処理を実行させるものであってもよい。その場合には、プログラム自体には上記モジュールが含まれずオペレーティングシステムと協働して処理が実行される。このようなモジュールを含まないプログラムも、本発明に係るプログラムに含まれ得る。
【０１４３】
また、本発明に係るプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１４４】
提供されるプログラム製品は、ハードディスクなどのプログラム格納部にインストールされて実行される。なお、プログラム製品は、プログラム自体と、プログラムが記憶された記憶媒体とを含む。
【０１４５】
さらに、本発明に係るプログラムによって実現される機能の一部または全部を専用のハードウェアによって構成してもよい。
【０１４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４７】
【図１】この発明の実施の形態に従うＭＦＰにおける概略のハードウェア構成を示す模式図である。
【図２】この発明の実施の形態に従うＭＦＰの操作パネルの代表的な外観を示す図である。
【図３】この発明の実施の形態に従うＭＦＰにおける制御構造を示すブロック図である。
【図４】この発明の実施の形態に従う仕上がり処理の一例を説明するための図である。
【図５】この発明の実施の形態に従う集約プリントの一例を説明するための図である。
【図６】この発明の実施の形態に従う片面／両面プリント設定およびプリント位置／方向設定の一例を説明するための図である。
【図７】この発明の実施の形態に従うスタンプ処理の一例を説明するための図である。
【図８】この発明の実施の形態に従うＭＦＰにおける全体処理を示すフローチャートである。
【図９】本実施の形態に従うプレビュー画面の単ページ表示モードにおける表示例を示す図である。
【図１０】本実施の形態に従うプレビュー画面の一覧表示モードにおける表示例（両面プリントおよび仕上がり設定時）を示す図である。
【図１１】本実施の形態に従う設定変更画面の表示例（仕上がり設定時）を示す図である。
【図１２】本実施の形態に従うプレビュー画面の一覧表示モードにおける表示例（集約プリント設定時）を示す図である。
【図１３】本実施の形態に従う設定変更画面の表示例（集約プリント設定時）を示す図である。
【図１４】本実施の形態に従うプレビュー画面の一覧表示モードにおける表示例（縦長原稿および横長原稿の混在ならびにスタンプ設定時）を示す図である。
【図１５】本実施の形態に従う設定変更画面の表示例（縦長原稿および横長原稿の混在ならびにスタンプ設定時）を示す図である。
【図１６】本実施の形態に従うプレビュー画面の一覧表示モードにおける表示例（複数の画像サイズの混在ならびに両面プリント設定時）を示す図である。
【図１７】本実施の形態に従う設定変更画面の表示例（複数の画像サイズの混在ならびに両面プリント設定時）を示す図である。
【図１８】本実施の形態に従うプレビュー画面の一覧表示モードにおける表示例（モノクロ画像およびカラー画像の混在ならびにスタンプ設定時）を示す図である。
【図１９】本実施の形態に従う設定変更画面の表示例（モノクロ画像およびカラー画像の混在ならびにスタンプ設定時）を示す図である。
【図２０】本実施の形態に従うプレビュー画面の一覧表示モードにおける表示例（複数の項目設定時）を示す図である。
【図２１】図２０に示すプレビュー画面におけるサブメニューの表示例を示す図である。
【図２２】図８に示すステップＳ８のプレビュー表示処理におけるより詳細な処理内容を示すフローチャートである。
【図２３】図２２中のステップＳ１１６におけるページ選択メニュー生成処理のより詳細な内容を示すフローチャートである。
【図２４】図２２中のステップＳ１２０におけるページ選択受付処理のより詳細内容を示すフローチャートである。
【図２５】図２２中のステップＳ１２８における設定変更の反映処理のより詳細内容を示すフローチャートである。
【図２６】この発明の他の実施の形態に従うシステムの概略構成図である。
【図２７】この発明の他の実施の形態に従うパーソナルコンピュータの概略のハードウェア構成を示す模式図である。
【符号の説明】
【０１４８】
１２  画像処理部、１４  プレビュー画像生成部、１４ａ  ページ選択メニュー生成部、１６  設定受付部、１６ａ  仕上がり設定、１６ｂ  集約プリント設定、１６ｃ  片面／両面プリント設定、１６ｄ  プリント位置／方向設定、１６ｅ  スタンプ設定、１８  表示コントローラ、２０  入力コントローラ、２２  ページ番号、２６  プリント日時、１００  制御部、１０４  ハードディスク、１０５  操作パネル、１０６  画像読取部、１０７  プリント部、１０８  フィニッシャー、１０９  ネットワークインタフェース、１１０  バス、１２２  タッチパネル、１２４  テンキー、１２８  スタートキー、１３０  ストップキー、２０２  入力部、２０４  ハードディスク、２０５  ディスプレイ、２０６  ＣＤ−ＲＯＭ（Compact Disk-Read Only Memory）ドライブ、２０６ａ  ＣＤ−ＲＯＭ、２０７  フレキシブルディスク（ＦＤ：Flexible Disk）ドライブ、２０７ａ  フレキシブルディスク、２０８  ネットワークインタフェース、２０９  内部バス、３００  プレビューボタン、３０２  確認表示タブ、３０６，３７２，３７４  選択ボタン、３０８  一覧選択ボタン、３１０  設定変更ボタン、３１２  縮小ボタン、３１４  拡大ボタン、３１６  イメージ表示領域、３１８  前ページボタン、３２０  次ページボタン、３３０  イメージ表示領域、３３２  前グループボタン、３３４  次グループボタン、３３６，３５８，３６８，３７６，３８８，３９６，４０８，４２６，４２８  ＯＫボタン、３４０，３８０，４００，４２０  ページ選択メニュー、３４０ａ  奇数ページ選択ボタン、３４０ｂ  偶数ページ選択ボタン、３４０ｃ，３８０ｃ，４００ｃ，４２０ｃ  全ページ選択ボタン、３５２，３５４，３５６  設定メニュー、３６０，４１０  キャンセルボタン、３６２，３６４，３６６  設定値表示領域、３６２ａ，３６４ａ，３６６ａ  −ボタン、３６２ｂ，３６４ｂ，３６６ｂ  ＋ボタン、３８０ａ  ランドスケープ選択ボタン、３８０ｂ  ポートレイト選択ボタン、３９０，４３０  キャンセルボタン、３９２，４３２  選択ボタン群、３９４  調整変更ボタン、４００ａ  大サイズ選択ボタン、４００ｂ  小サイズ選択ボタン、４１２，４１４，４１６，４１８  選択ボタン、４２０ａ  モノクロページ選択ボタン、４２０ｂ  カラーページ選択ボタン、４４０  対象ページ一覧ボタン、４５０  サブメニュー、ＮＷ  ネットワーク、ＰＣ  パーソナルコンピュータ。
【図１】
0004631925.tif 000002
【図２】
0004631925.tif 000003
【図３】
0004631925.tif 000004
【図４】
0004631925.tif 000005
【図５】
0004631925.tif 000006
【図６】
0004631925.tif 000007
【図７】
0004631925.tif 000008
【図８】
0004631925.tif 000009
【図９】
0004631925.tif 000010
【図１０】
0004631925.tif 000011
【図１１】
0004631925.tif 000012
【図１２】
0004631925.tif 000013
【図１３】
0004631925.tif 000014
【図１４】
0004631925.tif 000015
【図１５】
0004631925.tif 000016
【図１６】
0004631925.tif 000017
【図１７】
0004631925.tif 000018
【図１８】
0004631925.tif 000019
【図１９】
0004631925.tif 000020
【図２０】
0004631925.tif 000021
【図２１】
0004631925.tif 000022
【図２２】
0004631925.tif 000023
【図２３】
0004631925.tif 000024
【図２４】
0004631925.tif 000025
【図２５】
0004631925.tif 000026
【図２６】
0004631925.tif 000027
【図２７】
0004631925.tif 000028